(57)【要約】【課題】室内を汚染しないとともに、手袋やアームカバーを別途に必要としないエアーコンデショナー室内機用洗浄カバーを提供すること。【解決手段】エアーコンデショナー室内機を洗浄する際に室内に薬液等が飛散するのを防止するエアーコンデショナー室内機用洗浄カバーであって、エアーコンデショナー室内機の周囲を囲蔽するカバー部と、該カバー部の一部に形成されたアーム部とを備えたので、洗浄液や汚水で室内を汚染しないとともに、作業者の手や腕を保護するためのアームカバーを別途に必要としない。【選択図】図１
2010169380.tif 000002
【特許請求の範囲】
【請求項１】
エアーコンデショナー室内機を洗浄する際に室内に薬液等が飛散するのを防止するエアーコンデショナー室内機用洗浄カバーであって、
エアーコンデショナー室内機の周囲を囲蔽するカバー部と、該カバー部の一部に形成されたアーム部とを備えたことを特徴とするエアーコンデショナー室内機用洗浄カバー。
【請求項２】
前記カバー部は、上端が開放されるとともに、下端に漏斗状の水滴受けを備えたことを特徴とする請求項１に記載のエアーコンデショナー室内機用洗浄カバー。
【請求項３】
前記アーム部は、先端が手袋状にシールされたことを特徴とする請求項１または２に記載のエアーコンデショナー室内機用洗浄カバー。
【請求項４】
チューブ状素材の一端を折り返して重畳させる折り返し工程と、重畳した筒部の中心に溶着防止シートを挿入し、重畳部分を幅方向に一部を残して上からシールするシール工程と、前記シール工程で溶着した部分を幅方向に切断してアーム部を形成する切断工程と、前記折り返し工程で折り返した部分を再度展開する展開工程とから成ることを特徴とするエアーコンデショナー室内機用洗浄カバーの製造方法。
【請求項５】
前記切断工程で形成したアーム部の先端を手袋状にシールした後、手袋状に切断する手袋部形成工程を更に備えたことを特徴とする請求項４に記載のエアーコンデショナー室内機用洗浄カバーの製造方法。
【請求項６】
縦長のシート状素材の長辺を折り返した後、前記シート状素材の短辺を折り返して重畳させる重畳工程と、重畳させたシート状素材の中心に溶着防止シートを挿入し、重畳部分を幅方向に一部を残して上からシールするシール工程と、前記シール工程で溶着した部分を幅方向に切断してアーム部を形成する切断工程と、前記重畳工程で折り返した部分を再度展開する展開工程と、前記展開工程で展開したシート状素材と略同形状の別のシート状素材を重ね合わせ、両端部をシールする第２シール工程とから成ることを特徴とするエアーコンデショナー室内機用洗浄カバーの製造方法。
【請求項７】
縦長のシート状素材の長辺を折り返して重畳させる重畳工程と、
重畳させたシート状素材の左右上端の隅部を鉤型シールするとともに、略中央に水平シールを形成して腕挿入部を形成するシール工程と、
前記シール工程で溶着した鉤型シールの周囲を鉤型に切徐するとともに水平シールの中央を幅方向及び垂直方向に上端から切断してアーム部を形成する切断工程と、
重畳工程で折り返した部分を再度展開する展開工程と、
前記展開工程で展開したシート状素材と別のシート状素材を重ね合わせ、両端部をシールする第２シール工程とから成ることを特徴とする請求項６に記載のエアーコンデショナー室内機用洗浄カバーの製造方法。
【発明の詳細な説明】
【技術分野】
【０００１】
この発明は、エアーコンデショナーの室内機を薬液や洗浄剤を使用して洗浄する際に、薬液や洗浄剤が室内に飛散するのを防止し、作業者が安全に洗浄作業を行うことのできるエアーコンデショナー室内機用洗浄カバーに関するものである。
【背景技術】
【０００２】
従来より、エアーコンデショナー室内機を洗浄クリーニングする際に、洗浄液や汚水で室内を汚染しない為の洗浄カバーが種々提案されている。
例えば、特許文献１に示すように壁掛けエアコンの清掃装置は、エアコンの周囲を箱型袋状の材料で覆うとともに、前面の作業窓４を設け、ここから水道水等の洗浄水をかけ、下端に設けた排水パイプ７から汚水を排出する構造である。
また、他の構造としては、特許文献２に示すように上方が拡開した袋状の水受けカバーの上端の一部にゴムベルト４を設けるとともに、下端に排出用の中空パイプを設け、前記ゴムベルト４でエアコン室内機に取り付け、拡開部から散水し、流れ落ちる洗浄液を水受けカバーで受ける構造です。
【先行技術文献】
【特許文献】
【０００３】
【特許文献１】実開平６−１８８１８号公報
【特許文献２】特開２０００−１７９８８８号公報
【発明の概要】
【発明が解決しようとする課題】
【０００４】
しかし、上記従来の特許文献１に示すような壁掛けエアコンの清掃装置においては、洗浄用の薬剤を使用する場合には、作業者の手や腕を保護するために作業用手袋やアームカバーを別途に必要とした。
また、特許文献２に示すようなエアコンクリーニング水受けカバーにあっては、上方が拡開している為に洗浄用の薬剤を使用する場合には、作業者自身が危険に晒されたり、マスクや作業者の手や腕を保護するために作業用手袋やアームカバー等を別途に必要とした。
【０００５】
この発明は上記に鑑み提案されたもので、洗浄液や汚水で室内を汚染しないとともに、作業者の手や腕を保護するために別途に作業用手袋やアームカバーを別途に必要としないエアーコンデショナー室内機用洗浄カバーを提供することを目的とする。
【課題を解決するための手段】
【０００６】
上記目的を達成するために、請求項１に記載の発明は、エアーコンデショナー室内機を洗浄する際に室内に薬液等が飛散するのを防止するエアーコンデショナー室内機用洗浄カバーであって、エアーコンデショナー室内機の周囲を囲蔽するカバー部と、該カバー部の一部に形成されたアーム部とを備えたことを特徴としている。
【０００７】
また、請求項２に記載の発明において、前記カバー部は、上端が開放されるとともに、下端に漏斗状の水滴受けを備えたことを特徴とする。
【０００８】
また、請求項３に記載の発明において、前記アーム部は、先端が手袋状にシールされたことを特徴とする。
【０００９】
また、請求項４に記載のエアーコンデショナー室内機用洗浄カバーの製造方法は、チューブ状素材の一端を折り返して重畳させる折り返し工程と、重畳した筒部の中心に溶着防止シートを挿入し、重畳部分を幅方向に一部を残して上からシールするシール工程と、前記シール工程で溶着した部分を幅方向に切断してアーム部を形成する切断工程と、前記折り返し工程で折り返した部分を再度展開する展開工程とから成ることを特徴とする。
【００１０】
また、請求項５に記載の発明において、前記切断工程で形成したアーム部の先端を手袋状にシールした後、手袋状に切断する手袋部形成工程を更に備えたことを特徴とする。
【００１１】
また、請求項６に記載のエアーコンデショナー室内機用洗浄カバーの製造方法は、縦長のシート状素材の長辺を折り返した後、前記シート状素材の短辺を折り返して重畳させる重畳工程と、重畳させたシート状素材の中心に溶着防止シートを挿入し、重畳部分を幅方向に一部を残して上からシールするシール工程と、前記シール工程で溶着した部分を幅方向に切断してアーム部を形成する切断工程と、前記重畳工程で折り返した部分を再度展開する展開工程と、前記展開工程で展開したシート状素材と略同形状の別のシート状素材を重ね合わせ、両端部をシールする第２シール工程とから成ることを特徴とする。
【００１２】
また、請求項７に記載のエアーコンデショナー室内機用洗浄カバーの製造方法は、縦長のシート状素材の長辺を折り返して重畳させる重畳工程と、重畳させたシート状素材の左右上端の隅部を鉤型シールするとともに、略中央に水平シールを形成して腕挿入部を形成するシール工程と、前記シール工程で溶着した鉤型シールの周囲を鉤型に切徐するとともに水平シールの中央を幅方向及び垂直方向に上端から切断してアーム部を形成する切断工程と、重畳工程で折り返した部分を再度展開する展開工程と、前記展開工程で展開したシート状素材と別のシート状素材を重ね合わせ、両端部をシールする第２シール工程とから成ることを特徴とする。
【発明の効果】
【００１３】
この発明は上記した構成からなるので、以下に説明するような効果を奏することができる。
【００１４】
本発明では、エアーコンデショナー室内機を洗浄する際に室内に薬液等が飛散するのを防止するエアーコンデショナー室内機用洗浄カバーであって、エアーコンデショナー室内機の周囲を囲蔽するカバー部と、該カバー部の一部に形成されたアーム部とを備えたので、洗浄液や汚水で室内を汚染しないとともに、作業者の手や腕を保護するためのアームカバーを別途に必要としない。
【００１５】
また、本発明では、前記カバー部は、上端が開放されるとともに、下端に漏斗状の水滴受けを備えたので、洗浄液や汚水で室内を汚染することがない。
【００１６】
また、本発明では、前記アーム部は、先端が手袋状にシールされたので、作業者の手や腕を保護するための作業用手袋やアームカバーを別途に必要としない。
【００１７】
また、本発明のエアーコンデショナー室内機用洗浄カバーの製造方法は、チューブ状素材の一端を折り返して重畳させる折り返し工程と、重畳した筒部の中心に溶着防止シートを挿入し、重畳部分を幅方向に一部を残して上からシールするシール工程と、前記シール工程で溶着した部分を幅方向に切断してアーム部を形成する切断工程と、前記折り返し工程で折り返した部分を再度展開する展開工程とから成るので、洗浄液や汚水で室内を汚染しないとともに、作業者の手や腕を保護するために作業用手袋やアームカバーを別途に必要としないエアーコンデショナー室内機用洗浄カバーを提供することができる。
【００１８】
また、本発明では、前記切断工程で形成したアーム部の先端を手袋状にシールした後、手袋状に切断する手袋部形成工程を更に備えたので、作業者の手や腕を保護するために作業用手袋やアームカバーを別途に必要としないエアーコンデショナー室内機用洗浄カバーを提供することができる。
【００１９】
また、本発明のエアーコンデショナー室内機用洗浄カバーの製造方法は、縦長のシート状素材の長辺を折り返した後、前記シート状素材の短辺を折り返して重畳させる重畳工程と、重畳させたシート状素材の中心に溶着防止シートを挿入し、重畳部分を幅方向に一部を残して上からシールするシール工程と、前記シール工程で溶着した部分を幅方向に切断してアーム部を形成する切断工程と、前記重畳工程で折り返した部分を再度展開する展開工程と、前記展開工程で展開したシート状素材と略同形状の別のシート状素材を重ね合わせ、両端部をシールする第２シール工程とから成るので、シート状素材を使用して作業者の手や腕を保護するために作業用手袋やアームカバーを別途に必要としないエアーコンデショナー室内機用洗浄カバーを提供することができる。
【００２０】
また、本発明のエアーコンデショナー室内機用洗浄カバーの製造方法は、縦長のシート状素材の長辺を折り返して重畳させる重畳工程と、重畳させたシート状素材の左右上端の隅部を鉤型シールするとともに、略中央に水平シールを形成して腕挿入部を形成するシール工程と、前記シール工程で溶着した鉤型シールの周囲を鉤型に切徐するとともに水平シールの中央を幅方向及び垂直方向に上端から切断してアーム部を形成する切断工程と、重畳工程で折り返した部分を再度展開する展開工程と、前記展開工程で展開したシート状素材と別のシート状素材を重ね合わせ、両端部をシールする第２シール工程とから成るので、エアーコンデショナー室内機用洗浄カバーをシート状素材を使用して製造することができる。また、第２シール工程で別のシート状素材を重ね合わせる位置をアーム部の形成された側面にするか、アーム部の形成された側面の裏に取り付けるかによって、エアーコンデショナー室内機用洗浄カバーとして使用するか簡易防護服として使用するか、選択することができる。
【図面の簡単な説明】
【００２１】
【図１】図１は、本発明に係るエアーコンデショナー室内機用洗浄カバーの第１の実施の形態に於ける製造工程を示す説明図である。
【図２】図２は、同エアーコンデショナー室内機用洗浄カバーの製造工程におけるシール工程を示す説明図である。
【図３】図３は、同エアーコンデショナー室内機用洗浄カバーの製造工程におけるカット工程を示す説明図である。
【図４】図４（ａ）は、アーム部の先端を開口した場合、図４（ｂ）は、アーム部の先端を手袋状にした場合である。
【図５】図５は、同エアーコンデショナー室内機用洗浄カバーに於ける折り返し部分を戻す工程を示す説明図である。
【図６】図６は、同エアーコンデショナー室内機用洗浄カバーを広げる工程を示す説明図である。
【図７】図７は、同エアーコンデショナー室内機用洗浄カバーの使用状態を示す説明図である。
【図８】図８は、同エアーコンデショナー室内機用洗浄カバーを防塵服として使用するためにアーム部が外側に出るように展開した説明図である。
【図９】図９は、同エアーコンデショナー室内機用洗浄カバーを防塵服として使用する例を示す説明図である。
【図１０】図１０は、本発明のエアーコンデショナー室内機用洗浄カバーの第２の実施の形態の製造方法を示す説明図である。
【図１１】図１１は、同エアーコンデショナー室内機用洗浄カバーの製造工程を示す説明図である。
【図１２】図１２は、同エアーコンデショナー室内機用洗浄カバーの製造工程を示す説明図である。
【図１３】図１３は、同エアーコンデショナー室内機用洗浄カバーの製造工程を示す説明図である。
【図１４】図１４は、同エアーコンデショナー室内機用洗浄カバーの製造工程を示す説明図である。
【図１５】図１５は、同エアーコンデショナー室内機用洗浄カバーの製造工程を示す説明図である。
【図１６】図１６は、同エアーコンデショナー室内機用洗浄カバーの製造工程を示す説明図である。
【図１７】図１７は、同エアーコンデショナー室内機用洗浄カバーの製造工程を示す説明図である。
【図１８】図１８は、同エアーコンデショナー室内機用洗浄カバーの完成状態を示す説明図である。
【図１９】図１９は、天井式エアーコンデショナーに取り付けた状態を示す説明図である。
【図２０】図２０は、本発明のエアーコンデショナー室内機用洗浄カバーの第３の実施の形態の製造方法を示す説明図である。
【図２１】図２１は、同エアーコンデショナー室内機用洗浄カバーの製造工程を示す説明図である。
【図２２】図２２は、同エアーコンデショナー室内機用洗浄カバーの製造工程を示す説明図である。
【図２３】図２３は、同エアーコンデショナー室内機用洗浄カバーの製造工程を示す説明図である。
【図２４】図２４は、同エアーコンデショナー室内機用洗浄カバーの製造工程を示す説明図である。
【図２５】図２５は、同エアーコンデショナー室内機用洗浄カバーの製造工程を示す説明図である。
【図２６】図２６は、同エアーコンデショナー室内機用洗浄カバーの製造工程を示す説明図である。
【図２７】図２７は、同エアーコンデショナー室内機用洗浄カバーの製造工程を示す説明図である。
【図２８】図２８は、本発明のエアーコンデショナー室内機用洗浄カバーの第４の実施の形態の製造方法を示す説明図である。
【図２９】図２９は、同エアーコンデショナー室内機用洗浄カバーの製造工程を示す説明図である。
【図３０】図３０は、同エアーコンデショナー室内機用洗浄カバーの製造工程を示す説明図である。
【発明を実施するための形態】
【００２２】
本発明のエアーコンデショナー室内機用洗浄カバーは、エアーコンデショナー室内機の周囲を囲蔽するカバー部と、該カバー部の一部に形成されたアーム部とを備えたので、洗浄液や汚水で室内を汚染しないとともに、作業者の手や腕を保護するためのアームカバーを別途に必要とすることなく、安全に洗浄作業ができる。
【実施例】
【００２３】
以下、一実施の形態を示す図面に基づいて本発明を詳細に説明する。図１〜図７は、本発明に係るエアーコンデショナー室内機用洗浄カバーの第１の実施の形態に於ける製造工程を示す説明図である。ここで、エアーコンデショナー室内機用洗浄カバーの製造方法は、チューブ状素材１０の一端１０ａを折り返して重畳させる折り返し工程と、重畳した筒部の中心に溶着防止シート１１を挿入し、重畳部分を幅方向に一部を残して上からシールするシール工程と、前記シール工程で溶着したシール部分１２を幅方向に切断してアーム部１３を形成する切断工程と、前記折り返し工程で折り返した部分を再度展開する展開工程等から成る。
【００２４】
折り返し工程では、透明なポリエチレン等の合成樹脂フィルムから成るチューブ状素材１０を外側に折り込み、チューブの山折り部位１０ｂから下方にチューブ状素材を重畳させる。また、チューブ状素材１０の下端は、図１に想像線で示すように延長して漏斗状の水滴受け１４を形成してもよい。このように水滴受け１４を形成すれば、クリーニング作業時に洗浄液や汚水で室内を汚染することがない。
【００２５】
シール工程では、図２に示すように重畳した筒部の中心にポリテトラフルオロエチレン（Polytetrafluoroethylene）シート等の耐熱性剥離素材から成る溶着防止シート１１を挟み込み、重畳部分を幅方向に一部の腕挿入代１５（作業者の腕入る程度、例えば、２０〜４０ｃｍ）を残して、上から熱圧着してシール部分１２を形成する。シール部分１２は、所定の幅と長さを有しており、腕挿入代１５の反対側のチューブ状素材１０を端部から圧着する。シール方法は、熱圧着の他、超音波溶着、インパルス溶着等を使用することができる。また、重畳した筒部の中心に溶着防止シート１１が挟み込まれているので、チューブ状素材１０の中心は、シールされずチューブ状態のままである。
【００２６】
切断工程は、図３に示すように前記シール工程で溶着したシール部分１２をチューブ状素材１０の幅方向に切断して２本のアーム部１３を形成する。また、部分拡大図に示すように切断部の先端は、丸く形成して破断防止円１６とすることが望ましい。
【００２７】
展開工程では、図４に示すように前記折り返し工程で折り返した部分のチューブ状素材１０を矢印Ａ方向に引き上げて、今度はシール部分１２を基に展開する。すると、図５に示すようにアーム部１３がチューブ状素材１０の内側に移動する。なお、図４（ａ）は、アーム部１３の先端を開口状態のままにした例であり、図４（ｂ）は、アーム部１３の先端を手袋（ミトン）１７状にシールした例である。更に、図５に示すようにチューブ状素材１０の内側に内蓋１８を溶着し、内蓋１８で覆われる部位に切り込み１９を形成する。このようにして切り込み１９を設けることにより、ここから作業用ホースや清掃用資材を挿入することができる。なお、内蓋１８のチューブ状素材１０と対向する面に面ファスナを設けてもよい。このように形成した場合、内蓋１８の存在により切り込み１９から洗浄液や水が漏れ出す虞れがない。また、図６に示すように２本のアーム部１３の間には、折り返した部分のチューブ状素材１０を矢印Ａ方向に引き上げ、シール部分１２を基に展開した際にシールされていない部位が腕挿入口２０が形成される。
【００２８】
図７は、本発明のエアーコンデショナー室内機用洗浄カバーの使用状態を示す説明図である。エアーコンデショナー室内機用洗浄カバーは、エアーコンデショナー室内機の周囲を囲蔽するカバー部２１とカバー部の一部に形成されたアーム部１３とを備え、カバー部２１は、上端が開放されるとともに、下端に漏斗状の水滴受け１４を備えている。
【００２９】
次に、以上のように構成されたエアーコンデショナー室内機用洗浄カバーの使用手順について説明する。先ず、図１９に示すようにエアーコンデショナー室内機２２の周縁部にカバー部２１の開口部位をクリップや粘着テープ等で水滴等が漏れないように取り付ける。次に、腕挿入口２０から両腕を挿入し、左右のアーム部１３のそれぞれ左右の腕を挿入する。そして、左右の手をそれぞれ左右の手袋１７に装着した状態で、切り込み１９から洗浄剤、ブラシ等の洗浄用具を入れて洗浄剤等を室内機に散布し、所定時間が経過して室内機の汚れが浮き上がった時、切り込み１９からホース２３を挿入して散水する。
【００３０】
以上のようエアーコンデショナー室内機用洗浄カバーは、室内機を完全に覆った状態で、しかもアーム部１３および手袋１７を使用して清掃作業ができるので、作業者が洗剤等で汚染される虞れがない。また、洗浄剤等の排水も水滴受け１４から用意したバケツ等に集めることができるので室内を汚染することもない。
【００３１】
図８は、本発明のエアーコンデショナー室内機用洗浄カバーを簡易な防塵服として使用するためにアーム部が外側に出るように展開した説明図、図９は、防塵服として使用する例を示す説明図である。本実施例では、カバー部２１の開口部２１ａを更にシールして囲蔽する。また、カバー部２１の下端は、水滴受けを設けることなく、開口しておく。
【００３２】
以上のように構成されたエアーコンデショナー室内機用洗浄カバーは、作業者がこのカバーを被ることにより、粉塵、ダスト、薬液等の有害物質から作業者を守ることのできる簡易防護服（カバー）としても使用することができる。また、アーム部１３に腕を通し手袋１７で作業を行うことができる。更に、簡易防護服として使用する場合には、内部の作業者に常に新鮮な空気（酸素）を供給するために呼吸保持用の附帯設備が必要である。
【００３３】
図１０〜図１８は、本発明のエアーコンデショナー室内機用洗浄カバーの第２の実施の形態の製造方法を示す説明図である。本実施の形態においてエアーコンデショナー室内機用洗浄カバーは、縦長のシート状素材１００の長辺１００ａを折り返した後、前記シート状素材１００の短辺１００ｂを折り返して重畳させる重畳工程と、重畳させたシート状素材１００の中心に溶着防止シート１０１を挿入し、重畳部分を幅方向に一部を残して上からシールするシール工程と、前記シール工程で溶着したシール部分１０２を幅方向に切断してアーム部１０３を形成する切断工程と、重畳工程で折り返した部分を再度展開する展開工程と、前記展開工程で展開したシート状素材１００と略同形状の別のシート状素材１０４を重ね合わせ、両端部をシールする第２シール工程とから成る。
【００３４】
重畳工程では、図１０〜図１２に示すように縦長のシート状素材１００の長辺１００ａを折り線Ｋにそって折り返し、その後、今度はシート状素材１００の短辺１００ｂを折り線Ｌに沿って折り返して重畳させる。
【００３５】
シール工程では、図１３に示すように重畳させたシート状素材１００の中心（最内側）に耐熱性剥離素材から成る溶着防止シート１０１を挿入し、重畳部分を上端からＨ、幅方向にＭだけ残して上から圧着シールする。また、Ｍの寸法は、作業者が腕を挿入可能な幅とする。更に、溶着防止シート１０１を挟んだ部位はシールされず、それ以外の部位が溶着される。
【００３６】
切断工程では、図１５に示すようにシール工程で溶着したシール部分１０２を側面から幅方向に切断してアーム部１０３を形成する。
【００３７】
展開工程では、図１５、１６に示すように重畳工程で折り返した後、シールしたシール部分１０２を起点として上に展開する。
【００３８】
第２シール工程は、図１７、１８に示すように展開工程で展開したシート状素材１００にエアコンの室内機の幅寸法に見合う幅を有する別のシート状素材１０４を重ね合わせ、左右両端部１０４ａをシールして溶着する。
【００３９】
別のシート状素材１０４の縦寸法Ｙは、シート状素材１００の縦寸法と同一に設定する。また、シート状素材１０４の幅寸法Ｘは、取り付けるエアーコンデショナー室内機２２の周囲長とシート状素材１００の幅寸法に応じて設定する。
【００４０】
以上のように、エアーコンデショナー室内機用洗浄カバーをシート状素材１００を使用して製造することができる。また、第２シール工程で別のシート状素材１０４を重ね合わせる位置をアーム部１０３の形成された側面にするか、アーム部１０３の形成された側面の裏に取り付けるかによって、エアーコンデショナー室内機用洗浄カバーとして使用するか簡易防護服として使用するか、選択することができる。
【００４１】
図２０〜図２７は、本発明のエアーコンデショナー室内機用洗浄カバーの第３の実施の形態の製造方法を示す説明図である。本実施の形態においてエアーコンデショナー室内機用洗浄カバーは、縦長のシート状素材１２０の長辺１２０ａを折り返して重畳させる重畳工程と、重畳させたシート状素材１２０の左右上端の隅部を鉤型シール１２１するとともに、略中央に水平シール１２２を形成して腕挿入部１２３を形成するシール工程と、前記シール工程で溶着した鉤型シール１２１の周囲を鉤型に切徐するとともに水平シール１２２の中央を幅方向１２４及び垂直方向１２５に上端から切断してアーム部１２６を形成する切断工程と、重畳工程で折り返した部分を再度展開する展開工程と、前記展開工程で展開したシート状素材１２０と略同形状の別のシート状素材１２７を重ね合わせ、両端部をシールする第２シール工程とから成る。
【００４２】
重畳工程では、図２０、２１に示すように縦長のシート状素材１２０の長辺１２０ａを折り線Ｋにそって折り返して重畳させる。第２の実施の形態と異なり更に、短辺に沿って折り返す必要がない。
【００４３】
シール工程では、図２２に示すように重畳されたシート状素材１２０の左右上端の隅部を所定の幅で鉤型シール１２１する。鉤型シール１２１は、略直角にシールする。また、略中央で上端から所定の位置で、鉤型シール１２１の下辺と同位置に水平シール１２２を形成して、鉤型シール１２１との間に腕挿入部１２３を形成する。この際、溶着防止シートを挿入してもよい。
【００４４】
切断工程では、図２３、図２４に示すようにシール工程で溶着した鉤型シール１２１に沿って、上端両隅を鉤型に切徐する。また、水平シール１２２を図２３の部分拡大図に示すように、幅方向１２４の中央を切断するとともに、水平シール１２２の中央を垂直方向１２５に上端から切断してアーム部１２６を形成する。したがって、アーム部１２６は、腕挿入部１３から腕を挿入することができる。
【００４５】
展開工程では、図２４、２５に示すようにシール工程でシールした鉤型シール１２１及び水平シール１２２を起点として矢印Ｆ方向に展開する。
【００４６】
第２シール工程は、図２６に示すように展開工程で展開したシート状素材１２０にエアコンの室内機の幅寸法に見合う幅を有する別のシート状素材１２７重ね合わせ、左右両端部１２０ａをシールして溶着する。
【００４７】
また、図２７に示すように別のシート状素材１２８の縦寸法Ｙは、シート状素材１２０の縦寸法と同一に設定し、シート状素材１２８の幅寸法Ｚは、取り付けるエアーコンデショナー室内機２２の周囲長とシート状素材１２０の幅寸法に応じて設定する。
【００４８】
以上のように、エアーコンデショナー室内機用洗浄カバーをシート状素材１２０を使用して製造することができる。また、第２シール工程で別のシート状素材１２７を重ね合わせる位置をアーム部１２６の形成された側面にするか、アーム部１２６の形成された側面の裏に取り付けるかによって、エアーコンデショナー室内機用洗浄カバーとして使用するか簡易防護服として使用するか、選択することができる。
【００４９】
図２８〜３０は、本発明のエアーコンデショナー室内機用洗浄カバーの第４の実施の形態の製造方法を示す説明図である。
【００５０】
本実施の形態のエアーコンデショナー室内機用洗浄カバーの製造方法は、チューブ状素材２００ａ、２００ｂを重ね合わせる重畳工程と、重畳した筒部の中心に溶着防止シート２０１を挿入し、重畳部分の上端開口部分２０４と上端から所定寸法下がった部位を幅方向に一部を残して圧着してシール部分２０２を形成するシール工程と、前記シール工程で溶着したシール部分２０２を幅方向に切断してアーム部２０３を形成する切断工程と、前記折り返し工程で折り返した部分をシール部分２０２を基準に展開する展開工程とから成る。
【００５１】
本実施の形態では、切断工程以降は、第１の実施の形態と同様であるので説明を省略する。このように２本のチューブ状素材からエアーコンデショナー室内機用洗浄カバーを製造することができる。
【００５２】
尚、以上の実施例では、エアーコンデショナー室内機用洗浄カバーに使用する場合について説明したが、簡易なグローブボックスとしても使用することができることは、言うまでもない。
【符号の説明】
【００５３】
１０      チューブ状素材
１０ａ    一端
１０ｂ    山折り部位
１１      溶着防止シート
１２      シール部分
１３      アーム部
１４      水滴受け
１５      腕挿入代
１６      破断防止円
１７      手袋
１８      内蓋
１９      切り込み
２０      腕挿入口
２１      カバー部
２２      エアーコンデショナー室内機
２３      ホース
１００    シート状素材
１００ａ   長辺
１００ｂ   短辺
１０１    溶着防止シート
１０２    シール部分
１０３    アーム部
１０４    シート状素材
１２０    シート状素材
１２１    鉤型シール
１２２    水平シール
１２３    腕挿入部
１２４    幅方向
１２５    垂直方向
１２６    アーム部
１２７    シート状素材
１２８    シート状素材
２００    チューブ状素材
２０１    溶着防止シート
２０２    シール部分
２０３    アーム部
【図１】
2010169380.tif 000003
【図２】
2010169380.tif 000004
【図３】
2010169380.tif 000005
【図４】
2010169380.tif 000006
【図５】
2010169380.tif 000007
【図６】
2010169380.tif 000008
【図７】
2010169380.tif 000009
【図８】
2010169380.tif 000010
【図９】
2010169380.tif 000011
【図１０】
2010169380.tif 000012
【図１１】
2010169380.tif 000013
【図１２】
2010169380.tif 000014
【図１３】
2010169380.tif 000015
【図１４】
2010169380.tif 000016
【図１５】
2010169380.tif 000017
【図１６】
2010169380.tif 000018
【図１７】
2010169380.tif 000019
【図１８】
2010169380.tif 000020
【図１９】
2010169380.tif 000021
【図２０】
2010169380.tif 000022
【図２１】
2010169380.tif 000023
【図２２】
2010169380.tif 000024
【図２３】
2010169380.tif 000025
【図２４】
2010169380.tif 000026
【図２５】
2010169380.tif 000027
【図２６】
2010169380.tif 000028
【図２７】
2010169380.tif 000029
【図２８】
2010169380.tif 000030
【図２９】
2010169380.tif 000031
【図３０】
2010169380.tif 000032